(57)【要約】【課題】コンタクトをほぼＵ字形に折曲し、コンタクト等の半田レス化を図ると共に、コネクタ本体を低背化して薄く偏平に構成する。【解決手段】上方が開放されたカード装着部を有するコネクタ本体によって偏平な形状に構成されており、前方の側が開放されていて、カード挿入口が形成され、両側に側壁が設けられ、後方の側が閉鎖されて端壁が形成されており、装着されたカードと電気的な接続をなす複数個のコンタクトが該端壁に整列して設けられている。【選択図】　　　　図１
2004031033.tif 000002
【特許請求の範囲】
【請求項１】
上方が開放されたカード装着部を有するコネクタ本体によって偏平な形状に構成されており、前方の側が開放されていて、カード挿入口が形成され、両側に側壁が設けられ、後方の側が閉鎖されて端壁が形成されており、装着されたカードと電気的な接続をなす複数個のコンタクトが該端壁に整列して設けられていることを特徴とするカードコネクタ。
【請求項２】
前記コンタクトは、一方の脚が長く、他方の脚が短いほぼＵ字形に形成されており、上方の脚が上接触片としてカードのパッド部と接触され、下方の脚が下接触片として装着ボードの電気回路と接触されることを特徴とする請求項１記載のカードコネクタ。
【請求項３】
前記コンタクトは、長い方の脚の上接触片の先端部が内方に彎曲され、短い方の脚の下接触片の先端部が内方に彎曲されていることを特徴とする請求項２記載のカードコネクタ。
【請求項４】
前記コネクタ本体のカード装着部を区画形成する側壁と端壁の上縁辺に沿って複数個のカード押え部材が設けられていることを特徴とする請求項３記載のカードコネクタ。
【請求項５】
前記カード押え部材は、カード装着部の上縁辺に沿って間隔を置いて配置されていることを特徴とする請求項４記載のカードコネクタ。
【請求項６】
前記コネクタ本体は、カードを導入する案内路を側壁に沿って形成されていることを特徴とする請求項５記載のカードコネクタ。
【請求項７】
前記カード押え部材は、前記カードの縁辺と係合してカードを押えて飛出しを防止することを特徴とする請求項６記載のカードコネクタ。
【発明の詳細な説明】
【０００１】
【発明の属する技術分野】
本発明は、携帯電話機や電話機、ＰＤＡ（ｐｅｒｓｏｎａｌ　ｄｉｇｉｔａｌ　ａｓｓｉｓｔａｎｃｅ）、携帯型オーディオ、カメラ等の電子機器や情報端末機器等に取付けられるカードコネクタに係わるもので、特に、ＩＣカードやＳＤカード、ＳＩＭカード等のカードが挿入されるように用いられるカードコネクタに関するものである。
【０００２】
【従来の技術】
近年、携帯電話機や電話機、ＰＤＡ（ｐｅｒｓｏｎａｌ　ｄｉｇｉｔａｌ　ａｓｓｉｓｔａｎｃｅ）、携帯型オーディオ、カメラ等の電子機器や情報端末機器等においては、ＩＣチップと呼ばれるＩＣ部品が組込まれたＩＣカードやＳＤカード、ＳＩＭカード等のカードの利用が非常に増大し、このようなＩＣカードやＳＤカード、ＳＩＭカード等のカードを挿入するカードコネクタが広く求められている。
【０００３】
特に、最近の携帯電話機は、電話機の組立時に組立工数を削減するために、コンタクトを半田付けせずにＩＣカードとＰＣボードとの間にコンタクトを挟み込んで半田レス化を促進してコストダウンを図っている。また、携帯電話機の厚さを薄くするためにカードコネクタ自体の厚さを薄くして低背化することが最近において広く要求されている。
【０００４】
【発明が解決しようとする課題】
しかしながら、このようなカードコネクタにおいては、コンタクトが大きいために、カードコネクタ自体の厚さを薄くすることに限界があり、低背化を図ることが厄介で、困難である等の問題がみられる。
【０００５】
従って、本発明の目的は、このような従来における問題点を解決するために、コンタクトをほぼＵ字形に折曲し、コンタクト等の半田レス化を図ると共に、コネクタ本体を低背化して薄く偏平に構成されたカードコネクタを提供することにある。
【０００６】
【課題を解決するための手段】
上述の目的を達成するために、本発明のカードコネクタは、上方が開放されたカード装着部を有するコネクタ本体によって偏平な形状に構成されており、前方の側が開放されていて、カード挿入口が形成され、両側に側壁が設けられ、後方の側が閉鎖されて端壁が形成されており、装着されたカードと電気的な接続をなす複数個のコンタクトが該端壁に整列して設けられていることを特徴とする。
【０００７】
また、本発明のカードコネクタは、前記コンタクトが、一方の脚が長く、他方の脚が短いほぼＵ字形に形成されており、上方の脚が上接触片としてカードのパッド部と接触され、下方の脚が下接触片として装着ボードの電気回路と接触されることを特徴とする。
【０００８】
さらに、本発明のカードコネクタは、前記コンタクトが、長い方の脚の上接触片の先端部が内方に彎曲され、短い方の脚の下接触片の先端部が内方に彎曲されていることを特徴とする。
【０００９】
さらにまた、本発明のカードコネクタは、前記コネクタ本体のカード装着部を区画形成する側壁と端壁の上縁辺に沿って複数個のカード押え部材が設けられていることを特徴とする。
【００１０】
本発明のカードコネクタは、前記カード押え部材が、カード装着部の上縁辺に沿って間隔を置いて配置されていることを特徴とする。
【００１１】
また、本発明のカードコネクタは、前記コネクタ本体が、カードを導入する案内路を側壁に沿って形成されていることを特徴とする。
【００１２】
さらに、本発明のカードコネクタは、前記カード押え部材が、前記カードの縁辺と係合してカードを押えて飛出しを防止することを特徴とする。
【００１３】
本発明のその他の目的や特徴および利点は、添付図面に示される本発明の実施形態についての以下の詳細な説明から明らかである。
【００１４】
【発明の実施の形態】
（実施例１）
図１乃至図７は、本発明のカードコネクタの一実施例を示す図で、図１は、本発明のカードコネクタの一実施例を、カードが挿入されていない状態で示す斜視図、図２は、図１の本発明のカードコネクタを反転した状態で示す斜視図で、図３は、図１の本発明のカードコネクタの縦方向中央断面図、図４は、本発明のカードコネクタにカードを挿入した状態で示すコンタクトの下接触片を示す断面部分図で、図５は、図４の本発明のカードコネクタのコンタクトの上接触片を示す同様な断面部分図、図６は、本発明のカードコネクタのコンタクトの１つを示す斜視図で、図７は、本発明のカードコネクタにカードを装着して示す斜視図である。
【００１５】
図１乃至図７に示されるように、本発明の一実施例におけるカードコネクタ１は、上方が開放されたカード装着部６を有するコネクタ本体２によって偏平な形状に構成されており、前方の側が、開放されていて、カード挿入口７が形成されており、両側に側壁４、４が設けられ、後方の側が閉鎖されていて端壁５が設けられており、挿入されたＩＣカードやＳＤカード、ＳＩＭカード等のカード１０と電気的な接続をなす複数個のコンタクト８がこの端壁５に沿って整列して設けられている。これらコンタクト８は、一方の脚１４が長く、他方の脚１５が短いほぼＵ字形に形成されており、上方の脚１４が上接触片１６としてカード１０のパッド部１１と接触され、下方の脚１５が下接触片１７として、本発明のカードコネクタ１が装着されるＰＣボードやテストボード等のボード１２や、あるいは電子機器や情報端末機器等のプリント配線やプリント回路等の電気回路部分と適宜に接触されて接続されるようになっており、上接触片１６と下接触片１７の先端部がそれぞれ内方に向って円弧状に彎曲されている。
【００１６】
このような本発明のカードコネクタ１に用いられるＩＣカードやＳＤカードまたはＳＩＭカード等のカード１０は、一般のカードと同様に、挿入側の先端部分に複数個のパッド部１１が整列して設けられると共に、必要に応じて一方の角部が斜めに切り取られて面取り部１３が設けられていて、カード１０がカードコネクタ１の両側の側壁４、４に沿ってスムーズにスライドさせて案内できるように形成されており、上方へのカード１０の抜け出しを防止する複数個のカード押え部材９が両側の側壁４、４と閉鎖側の端壁５との上縁辺に沿ってそれぞれ適宜な間隔を置いて設けられている。また、このようなカード押え部材９は、図示の実施例では円形状に形成されているが、カード押え部材９の形状は円形状に限られるものではなく、他の任意の形状にできることは勿論であり、さらにまた、側壁４や端壁５に沿って細長く延びるリブ状に形成することもできる。
【００１７】
本発明のカードコネクタ１には、カード挿入口７からＩＣカードやＳＤカード、ＳＩＭカード等のカード１０を挿入した時の、カード１０の後ろ差しや裏差しのような誤挿入を防止するための適宜な防止手段や防止機構が設けられるのが好適であり、さらに、挿入されたカード１０をスムーズに取り出すための放出手段の１つとしてイジェクタ機構等を設けることもできる。また、カードの浮き上りを防止する手段としては、カード１０の飛出しを防止するためのカード押え部材９が、コンタクト８の弾性力によって上接触片１６がカード１０のパッド部１１を押圧することで、コンタクト８と協働してカード１０の浮き上りを好適に防止することができるように作用するものである。
【００１８】
図示されるように、本発明のカードコネクタ１において、コネクタ本体２は適宜な合成樹脂材料などの電気的な絶縁材料によって成形して作られ、丈夫で偏平な平板形状に作られて、ＩＣカードやＳＤカード、ＳＩＭカード等のカード１０が挿入できるようにカード装着部６を区画するように形成されている。また、このような電気絶縁材料のコネクタ本体２の両側に沿って側壁４、４が設けられており、カード１０をカードコネクタ１にスムーズに挿入、抜き出しできるように円滑に案内するようになっている。
【００１９】
また、本発明のカードコネクタ１のコネクタ本体３の後方側の端壁５には、複数個のコンタクト８が整列するように配設されており、図示されるように、ほぼＵ字形に折り曲げて作られていて上接触片１６と下接触片１７とが設けられている。このようなコンタクト８は、コネクタ本体２の端壁５のモールド部に圧入されて保持されているが、カード１０やボード１２と接触した状態ではコンタクト８がＵ字形に折り曲げられているために上下接触片１６、１７における力のバランスが取れてモールド部に負担を懸けることが無いように形成されている。また、コンタクト８はコネクタ本体２の圧入して取り付ける外に、コネクタ本体２のモールド成形時に一緒に成形して配置することができる。
【００２０】
従って、このように構成された本発明のカードコネクタ１においては、装着すべきＰＣボードやテストボード等のボード１２に位置決めピン１９によって正確に位置決めして取り付けられて、コンタクト８の下接触片１７がプリント配線等の電気回路部分に良好に接触される。他方、ＩＣカードやＳＤカード、ＳＩＭカード等のカード１０が、カードコネクタ１の前方側に形成されたカード挿入口７からカードコネクタ１内に挿入され、カードコネクタ１の後方側の端壁５に配列された複数個のコンタクト８の上接触片１６が、カードコネクタ１内に挿入されたカード１０のパッド部１１と接触して電気的に接続され、これらコンタクト８の下接触片１７を介してＰＣボードやテストボード等の、本発明のカードコネクタ１が装着されるボード１２の電気回路部分と接続されるようになる。また、本発明のカードコネクタ１の底面には位置決めピン１９が設けられていて、ボード１２等の位置決め孔に嵌合することによって正確に位置決めするように形成されている。
【００２１】
すなわち、このようなコンタクト８は、図６に明示されるように、導電性の良好な金属条片や金属線材から、上側の脚１４と下側の脚１５とを有し、しかもこれら脚１４と脚１５が垂直な縦中心面を挟んで両側にずれて位置されるように連結取付部１８において位置がずれるように配置されると共に、ほぼＵ字形に折り曲げて作られており、上側の脚１４の先端部にＩＣカードやＳＤカード、ＳＩＭカード等のカード１０のパッド部１１と接触して接続される弾性変位可能に円弧状に彎曲した上接触片１６が設けられ、さらに連結取付部１８から下方に折り曲げられた下側の脚１５の先端部に、ボード１２のプリント配線等の電気回路部分と接触して接続されるように円弧状に彎曲した下接触片１７が設けられている。従って、このようなコンタクト８においては、カード１０のパッド部１１やボード１２の電気回路部分と接触した状態で、上接触片１６と下接触片１７がカード挿入方向に対してずれているために上接触片１６と下接触片１７同士が互いに干渉し合うことがなく、カードコネクタ１の全体の厚さ寸法を薄く、低背化することが可能になる。
【００２２】
このように構成された本発明のカードコネクタ１においては、ＩＣカードやＳＤカード、ＳＩＭカード等のカード１０として例えば、ＩＣチップ等の電子部品が組み込まれたカードを用いることができ、このようなカード１０がカード挿入口７からカードコネクタ１内に挿入される時に、正規の状態でカード１０が挿入された場合には、カード１０のパッド部１１がコンタクト８と正しく位置されて、コンタクト８の上接触片１６がカード１０のパッド部１１の処に位置されて良好に接触されて接続される。
【００２３】
この場合に、コンタクト８の上接触片１６は、カード１０の先端部分が差し込まれた時には、コンタクト８の上接触片１６が、例えば図４において下方に押し下げられて弾性変形され、これに続いてカード１０のパッド部１１に対して適切な弾性接触圧力をもって当接されて良好に接続されるようになる。これによって、カード１０は、パッド部１１からコンタクト８の上接触片１６を経て、そして下接触片１７を介してボード１２上のプリント配線等の電気回路部分と電気的に好適に接続されるようになる。
【００２４】
また、もしも誤ってカードを後ろ向きで差込んでも、カード１０の面取り部１３が、カード誤挿入防止機構に当たってカード１０の誤挿入が阻止されるので、カード１０の誤挿入を適切に防止することができる。
【００２５】
【発明の効果】
本発明の請求項１記載のカードコネクタは、上方が開放されたカード装着部を有するコネクタ本体によって偏平な形状に構成されており、前方の側が開放されていて、カード挿入口が形成され、両側に側壁が設けられ、後方の側が閉鎖されて端壁が形成されており、装着されたカードと電気的な接続をなす複数個のコンタクトが該端壁に整列して設けられているので、カードコネクタ全体を偏平な薄い形状に構成することができ、低背化を図ることができると共に、カードとボードとをコンタクトを介して良好に接続することができる。
【００２６】
本発明の請求項２記載のカードコネクタは、前記コンタクトが、一方の脚が長く、他方の脚が短いほぼＵ字形に形成されており、上方の脚が上接触片としてカードのパッド部と接触され、下方の脚が下接触片として装着ボードのプリント配線や回路と接触されるので、カードをボードに対して良好に接続することができ、カードコネクタの形状の低背化を図ることができる。
【００２７】
本発明の請求項３記載のカードコネクタは、前記コンタクトが、長い方の脚の上接触片の先端部が内方に彎曲され、短い方の脚の下接触片の先端部が内方に彎曲されているので、装着されたカードをコンタクトを介してボードと良好に接続することができ、カードコネクタ自体の形状を低背化することができる。
【００２８】
本発明の請求項４記載のカードコネクタは、前記コネクタ本体のカード装着部を区画形成する側壁と端壁の上縁辺に沿って複数個のカード押え部材が設けられているので、カードを飛出すこと無く保持できるカードコネクタを偏平な低背化された構造に形成することができる。
【００２９】
本発明の請求項５記載のカードコネクタは、前記カード押え部材が、カード装着部の上縁辺に沿って間隔を置いて配置されているので、簡単な構成に安価に、かつ容易に製作することができる。
【００３０】
本発明の請求項６記載のカードコネクタは、前記コネクタ本体が、カードを導入する案内路を側壁に沿って形成されているので、カードを円滑に挿入し、抜き出すことができる。
【００３１】
本発明の請求項７記載のカードコネクタは、前記カード押え部材が、前記カードの縁辺と係合してカードを押えて飛出しを防止するので、装着されたカードがカードコネクタから飛出すこと無く良好に保持される。
【図面の簡単な説明】
【図１】本発明のカードコネクタの一実施例を、カードが挿入されていない状態で示す斜視図である。
【図２】図１の本発明のカードコネクタを反転した状態で示す斜視図である。
【図３】図１の本発明のカードコネクタの縦方向中央断面図である。
【図４】本発明のカードコネクタにカードを挿入した状態でコンタクトの下接触片を示す断面部分図である。
【図５】図４の本発明のカードコネクタのコンタクトの上接触片を示す同様な断面部分図である。
【図６】本発明のカードコネクタのコンタクトの１つを示す斜視図である。
【図７】本発明のカードコネクタにカードを装着して示す斜視図である。
【符号の説明】
１　　　カードコネクタ
２　　　コネクタ本体
３　　　主平板部
４　　　側壁
５　　　端壁
６　　　カード装着部
７　　　カード挿入口
８　　　コンタクト
９　　　カード押え部材
１０　　カード
１１　　パッド部
１２　　ボード
１３　　面取り部
１４　　脚（上側の）
１５　　脚（下側の）
１６　　上接触片
１７　　下接触片
１８　　連結取付部
１９　　位置決めピン
【図１】
2004031033.tif 000003
【図２】
2004031033.tif 000004
【図３】
2004031033.tif 000005
【図４】
2004031033.tif 000006
【図５】
2004031033.tif 000007
【図６】
2004031033.tif 000008
【図７】
2004031033.tif 000009